(57)【特許請求の範囲】
【請求項１】
交流電源を直流に整流する整流回路と、前記整流回路の出力を平滑して直流電源を得る平滑回路と、加熱コイル、共振コンデンサ、及びスイッチング素子を含み、前記直流電源を高周波交流に変換して前記加熱コイルに供給し負荷を誘導加熱し、前記平滑回路の出力に並列に接続された第１のインバータ及び第２のインバータと、前記整流回路への入力を検知する入力電流検知手段と、前記第１のインバータ及び前記第２のインバータに発生する電気的制御要素を各々検知する制御要素検知手段と、前記第１のインバータ及び前記第２のインバータの動作開始時に前記入力電流検知手段と前記制御要素検知手段の出力を基に前記負荷の有無及び材質や形状を判定する材質形状判定手段と、前記第１のインバータ及び前記第２のインバータに含まれる各々のスイッチング素子に駆動信号を供給する第１の発振回路及び第２の発振回路と、前記第１の発振回路及び前記第２の発振回路の駆動を制御する駆動手段と、前記第１のインバータ及び前記第２のインバータの各々の平均入力電力を設定する操作手段と、を備え、
前記第１の発振回路及び前記第２の発振回路のいずれか一方を駆動させ、前記入力電流検知回路が検知する値が前記操作手段にて設定された平均入力電力となるように入力電流を連続して制御すると共に、第１の入力電流制限値及び第１の電気的制御要素制限値を超えないように前記第１のインバータ及び前記第２のインバータの出力を制御し、または、前記第１の発振回路及び前記第２の発振回路を交互に駆動させ、前記入力電流検知回路が検知する値が前記操作手段にて各々設定された平均入力電力となるように各々の入力電流瞬時値を所定のタイミング毎に増減させて制御すると共に、前記第１の入力電流制限値及び前記第１の電気的制御要素制限値よりも大きく設定された第２の入力電流制限値及び第２の電気的制御要素制限値を超えないように制御する機能を有する制御手段には、前記第１の発振回路及び前記第２の発振回路が交互に駆動する時に、前記材質形状判定手段において加熱できる小径の負荷と前記材質形状判定手段が判定した場合に、前記第１の発振回路及び前記第２の発振回路のいずれか一方が動作している前記操作手段で設定された平均入力電力と前記第１の発振回路及び前記第２の発振回路が交互に駆動している平均入力電力とが略同一となるように設定された前記第２の入力電流制限値よりも小さい第３の入力電流制限値が設けられており、
前記第１の発振回路及び前記第２の発振回路が交互に駆動する時に、前記材質形状判定手段において加熱できる小径の負荷と前記材質形状判定手段が判定した場合に、前記制御手段は、前記操作手段で設定された平均入力電力から単独駆動時の前記第１の入力電流制限値及び前記第１の電気的制御要素制限値を超えないように制限する加熱出力と略同一の入力電流となるように前記入力電流瞬時値を通常負荷より小さくし、且つ入力電流が前記第３の入力電流制限値を超えないように制御する誘導加熱装置。
【請求項２】
前記制御手段は、前記第１のインバータ及び前記第２のインバータのいずれか一方が動作している状態から前記第１のインバータ及び前記第２のインバータが交互で動作する状態に切り替わる際に、前記第１のインバータ及び前記第２のインバータに対して加熱開始時と同一の動作である前記材質形状判定手段が材質形状判定を行う請求項１に記載の誘導加熱装置。
【発明の詳細な説明】
【技術分野】
【０００１】
本発明は、高周波磁界による誘導加熱を利用して被加熱物の加熱を行う一般キッチンや業務用などに用いられる誘導加熱装置に関するものである。
【背景技術】
【０００２】
従来、この種の誘導加熱装置は、複数のインバータ回路で同時に加熱動作を行う際に、各々のインバータ回路が一定周期で加熱モードと停止モードを交互に繰り返すデューティー制御を行うというものである。
【０００３】
以下、その従来例について図６と図７を用いて説明する。
【０００４】
図６は、特許文献１に記載された従来の誘導加熱装置の回路構成図である。交流電源２０１を整流する整流回路２０２と、整流回路２０２の出力を高周波電力に変換し第１の加熱コイル２０６に電力を印加する第１のインバータ回路２０４と、整流回路２０２の出力を高調波電力に変換し第２の加熱コイル２０７に電力を印加する第２のインバータ回路２０５と、交流電源２０１からの入力電流を検出する電流検出手段２０３と、電流検出手段１０３の出力に応じて第１のインバータ回路２０４及び第２のインバータ回路２０５の動作を制御する制御手段２０８と、制御手段２０８からの信号を受信し第１のインバータ回路２０４及び第２のインバータ回路２０５の各々の半導体スイッチの制御タイミングを制御する第１の発振回路２０９及び第２の発振回路２１０と、から構成されている。
【０００５】
図７は、特許文献１に記載された従来の誘導加熱装置の制御タイミングを示す図である。図７（ａ）は、第１のインバータ回路２０４及び第２のインバータ回路２０５のいずれか一方が単独にて動作している際の第１のインバータ回路２０４あるいは第２のインバータ回路２０５の出力を示す。図７（ｂ）は、図７（ａ）と同一の平均入力電力を得るように第１のインバータ回路２０４及び第２のインバータ回路２０５が同時に動作する際の第１のインバータ回路２０４と第２のインバータ回路２０５の出力を示す。
【０００６】
上記構成において、制御手段２０８は、第１のインバータ回路２０４及び第２のインバータ回路２０５のいずれか一方が単独で動作をする際には、第１の発振回路２０９あるいは第２の発振回路２１０の駆動を対象となるインバータ回路のみ連続で動作し、第１のインバータ回路２０４及び第２のインバータ回路２０５が同時に動作する際には、第１の発振回路２０９及び第２の発振回路２１０の駆動を交互に行うことで、整流回路２０２と電流検出手段２０３を共用化して１つで済ませることが出来、２つの加熱コイルを有する誘導加熱装置においても、回路の規模を大きくすることがなく小スペースとなり、また、コストの増大を招くことなく、各インバータ回路に所定の電力を正確に供給することができる。
【先行技術文献】
【特許文献】
【０００７】
【特許文献１】特開２００１−１９６１５６号公報
【発明の概要】
【発明が解決しようとする課題】
【０００８】
しかしながら、前記従来の構成では、図７に示すように単独駆動と同一の平均入力電力を得るように交互の駆動を行うためには、交互駆動時において瞬時入力電力を単独駆動時よりも大きな値を持たせて制御させる必要があるので、大きな加熱出力を必要としない小
径の負荷に対して、単独駆動時と交互駆動時の加熱出力を比較した場合に単独駆動時以上に交互駆動時の瞬時入力電力が大きくなり、単独駆動時と交互駆動時で沸騰感に大きな差異が生じてしまう課題を有していた。
【０００９】
本発明は、前記従来の課題を解決するもので、交互駆動時において、各インバータの加熱駆動時に各インバータに対応する入力電流と制御要素の出力を基に負荷の形状を判定し、加熱できる小径の負荷と判定された場合には、単独駆動時と略同一の平均入力電力を得るように交互駆動時の瞬時加熱出力を制限する構成とした誘導加熱装置を提供することを目的とする。
【課題を解決するための手段】
【００１０】
前記従来の課題を解決するために、本発明の誘導加熱装置は、交流電源を直流に整流する整流回路と、前記整流回路の出力を平滑して直流電源を得る平滑回路と、加熱コイル、共振コンデンサ、及びスイッチング素子を含み、前記直流電源を高周波交流に変換して負荷を誘導加熱し、前記平滑回路の出力に並列に接続された第１のインバータ及び第２のインバータと、前記整流回路への入力を検知する入力電流検知手段と、前記第１のインバータ及び前記第２のインバータに発生する電気的制御要素を各々検知する制御要素検知手段と、前記第１のインバータ及び前記第２のインバータの動作開始時に前記入力電流検知手段と前記制御要素検知手段の出力を基に前記負荷の有無及び材質や形状を判定する材質形状判定手段と、前記第１のインバータ及び前記第２のインバータに含まれる各々のスイッチング素子に駆動信号を供給する第１の発振回路及び第２の発振回路と、前記第１の発振回路及び前記第２の発振回路の駆動を制御する駆動手段と、前記第１のインバータ及び前記第２のインバータの各々の平均入力電力を設定する操作手段と、を備え、前記第１の発振回路及び前記第２の発振回路のいずれか一方を駆動させ、前記入力電流検知回路が検知する値が前記操作手段にて設定された平均入力電力となるように入力電流を連続して制御すると共に、第１の入力電流制限値及び第１の電気的制御要素制限値を超えないように前記第１のインバータ及び前記第２のインバータの出力を制御し、または、前記第１の発振回路及び前記第２の発振回路を交互に駆動させ、前記入力電流検知回路が検知する値が前記操作手段にて各々設定された平均入力電力となるように各々の入力電流瞬時値を所定のタイミング毎に増減させて制御すると共に、前記第１の入力電流制限値及び前記第１の電気的制御要素制限値よりも大きく設定された第２の入力電流制限値及び第２の電気的制御要素制限値を超えないように制御する機能を有する制御手段には、前記第１の発振回路及び前記第２の発振回路のいずれか一方が動作している平均入力電力と前記第１及び第２の発振回路が交互に駆動している平均入力電力と略同一となるように第２の入力電流制限値よりも小さい第３の入力電流制限値を設けられており、前記第１の発振回路及び前記第２の発振回路が交互に駆動する時に、前記材質形状判定手段が加熱できる小径の負荷と判定した場合に、前記制御手段は、前記操作手段で設定された平均入力電力から単独駆動時の前記第１の入力電流制限値及び前記第１の電気的制御要素制限値を超えないように制限する加熱出力と略同一の入力電流となるように前記入力電流瞬時値を通常負荷より小さくし、且つ入力電流が前記第３の入力電流制限値を超えないように制御することにより加熱できる小径の負荷の平均入力電力を制限する構成としたものである。
【００１１】
これによって、単独駆動時と交互駆動時において、加熱できる小径の負荷の沸騰感を略同一を見なすことができるので、使用者にとって単独駆動時と交互駆動時で違和感のない調理が実現できる誘導加熱装置を提供することができる。
【発明の効果】
【００１２】
本発明の誘導加熱装置は、交互駆動時における加熱できる小径の負荷の平均入力電力を制限することができるので、単独駆動時と交互駆動時の加熱できる小径の負荷の沸騰感を略同一と見なすことができ、使用者にとって単独駆動時と交互駆動時で違和感のない調理が実現できるので従来までの誘導加熱装置と同様の扱いが可能である。
【図面の簡単な説明】
【００１３】
【図１】本発明の実施の形態１における誘導加熱装置のブロック図
【図２】本発明の実施の形態１における誘導加熱装置の動作の流れ図
【図３】本発明の実施の形態１における誘導加熱装置の単独駆動時及び交互駆動時の時間と加熱出力の関係図
【図４】本発明の実施の形態１における誘導加熱装置の単独駆動時及び交互駆動時の入力電流と共振電圧の関係図
【図５】本発明の実施の形態２における誘導加熱装置の動作の流れ図
【図６】従来の誘導加熱装置におけるブロック図
【図７】従来の誘導加熱装置における誘導加熱装置の（ａ）単独駆動時、（ｂ）交互駆動時の時間と加熱出力の関係図
【発明を実施するための形態】
【００１４】
第１の発明は、交流電源を直流に整流する整流回路と、前記整流回路の出力を平滑して直流電源を得る平滑回路と、加熱コイル、共振コンデンサ、及びスイッチング素子を含み、前記直流電源を高周波交流に変換して負荷を誘導加熱し、前記平滑回路の出力に並列に接続された第１のインバータ及び第２のインバータと、前記整流回路への入力を検知する入力電流検知手段と、前記第１のインバータ及び前記第２のインバータに発生する電気的制御要素を各々検知する制御要素検知手段と、前記第１のインバータ及び前記第２のインバータの動作開始時に前記入力電流検知手段と前記制御要素検知手段の出力を基に前記負荷の有無及び材質や形状を判定する材質形状判定手段と、前記第１のインバータ及び前記第２のインバータに含まれる各々のスイッチング素子に駆動信号を供給する第１の発振回路及び第２の発振回路と、前記第１の発振回路及び前記第２の発振回路の駆動を制御する駆動手段と、前記第１のインバータ及び前記第２のインバータの各々の平均入力電力を設定する操作手段と、を備え、前記第１の発振回路及び第２の発振回路のいずれか一方を駆動させ、前記入力電流検知回路が検知する値が前記操作手段にて設定された平均入力電力となるように入力電流を連続して制御すると共に、第１の入力電流制限値及び第１の電気的制御要素制限値を超えないように前記第１のインバータ及び前記第２のインバータの出力を制御し、または、前記第１の発振回路及び前記第２の発振回路を交互に駆動させ、前記入力電流検知回路が検知する値が前記操作手段にて各々設定された平均入力電力となるように各々の入力電流瞬時値を所定のタイミング毎に増減させて制御すると共に、前記第１の入力電流制限値及び前記第１の電気的制御要素制限値よりも大きく設定された第２の入力電流制限値及び第２の電気的制御要素制限値を超えないように制御する機能を有する制御手段には、前記第１の発振回路及び前記第２の発振回路のいずれか一方が動作している平均入力電力と前記第１の発振回路及び前記第２の発振回路が交互に駆動している平均入力電力と略同一となるように第２の入力電流制限値よりも小さい第３の入力電流制限値を設けられており、前記第１の発振回路及び前記第２の発振回路が交互に駆動する時に、前記材質形状判定手段が加熱できる小径の負荷と判定した場合に、前記制御手段は、前記操作手段で設定された平均入力電力から単独駆動時の前記第１の入力電流制限値及び前記第１の電気的制御要素制限値を超えないように制限する加熱出力と略同一の入力電流となるように前記入力電流瞬時値を通常負荷より小さくし、且つ入力電流が前記第３の入力電流制限値を超えないように制御することで、単独駆動時と交互駆動時において、加熱できる小径の負荷の沸騰感を略同一を見なすことができるので、使用者にとって単独駆動時と交互駆動時で違和感のない調理が実現できる誘導加熱装置を提供することができる。
【００１５】
第２の発明は、特に、第１の発明において、前記制御手段は、前記第１のインバータ及び前記第２のインバータのいずれか一方が動作している状態から前記第１のインバータ及び前記第２のインバータが交互で動作する状態に切り替わる際に、前記第１のインバータ及び前記第２のインバータに対して加熱開始時と同一の動作である前記材質形状判定手段が材質形状判定を行うことで、材質形状判定を各インバータ駆動時に行い、交互駆動時に
おいても各インバータに適した平均入力電力で加熱動作を行うことができる。
【００１６】
以下、本発明の実施の形態について、誘導加熱装置を例にして、図面を参照しながら説明する。なお、この実施の形態によって本発明が限定されるものではない。
【００１７】
（実施の形態１）
図１は本発明の第１の実施の形態における誘導加熱装置のブロック図を示す。
【００１８】
図１において、本発明の第１の実施の形態における誘導加熱装置は、交流電源１と、交流電源１を整流する整流回路２と、整流回路２の出力を平滑して直流電源を得る平滑回路
３と、平滑回路３の出力に並列に接続され、負荷を誘導加熱する第１及び第２の加熱コイル４ｃ、５ｃ及び第１及び第２の加熱コイル４ｃ、５ｃと共振回路を構成する第１及び第２の共振コンデンサ４ｄ、５ｄを含み、第１及び第２の加熱コイル４ｃ、５ｃに高周波電力を供給する第１及び第２のインバータ４、５と、第１及び第２のインバータ４、５に共用して入力される入力電流を検知するカレントトランス等からなる入力電流検知手段６と、第１及び第２のインバータ４、５に発生する電気的制御要素を検知する制御要素検知手段７と、第１及び第２のインバータ４、５の動作開始時に入力電流検知手段６と制御要素検知手段７の出力を基に加熱動作を行う負荷の有無及び材質や形状を判定する材質形状判定手段８と、第１及び第２のインバータ４、５は、第１及び第２の加熱コイル４ｃ、５ｃ及び第１及び第２の共振コンデンサ４ｄ、５ｄから構成される共振回路へ高周波電力を供給するＩＧＢＴ等からなる第１及び第２のスイッチング手段４ａ、４ｂ、５ａ、５ｂを有し、第１〜第４のスイッチング手段４ａ、４ｂ、５ａ、５ｂの駆動周波数あるいは導通時間等の駆動信号を供給する第１及び第２の発振回路９、１０と、材質形状判定手段８からの信号から第１及び第２の発振回路９、１０の駆動を制御する駆動手段１１と、第１及び第２のインバータ４、５の各々の平均入力電力を設定する操作手段１３と、で構成されている。なお、制御回路１２は、入力電流検知手段６と制御要素検知手段７と材質形状判定手段８と駆動手段１１から構成されている。
【００１９】
以上のように構成された誘導加熱装置について、以下、図２〜４を用いて、その動作、作用を説明する。
【００２０】
図２は本発明の実施の形態１における誘導加熱装置の動作の流れ図を、図３は本発明の実施の形態１における誘導加熱装置の単独駆動時及び交互駆動時の時間と加熱出力の関係図を、図４は本発明の実施の形態１における誘導加熱装置の単独駆動時及び交互駆動時の入力電流と共振電圧の関係図を、それぞれ示す。
【００２１】
図２において、上段は第１及び第２のインバータ４、５のいずれか一方が単独駆動している場合の動作となる。加熱が開始されると、始めに第１または第２の加熱コイル４ｃ、５ｃ上に載置された鍋などの負荷が加熱適合負荷か、あるいは、材質及び形状がどのような負荷であるのかを電気的な特性などを用いて材質形状判別を行う。続いて、不適合鍋の場合は加熱を停止させ、適合鍋の場合はその負荷に対し加熱電力を順次増加させ、入力電流検知手段６により入力電流が設定値に達するか否かの電力確認を行う。続いて、操作手段１３より予め設定された火力レベルに応じた入力電流の目標値まで加熱電力を増加させ、第１及び第２のインバータ４、５のどちらか１つを単独駆動させる工程へ移行する。
【００２２】
図２において、下段は材質形状判定の工程の負荷判別の詳細を示すものである。このグラフの横軸は第１及び第２のインバータ４、５へ入力させる入力電流を、縦軸は第１及び第２のインバータ４、５に発生する電気的な制御要素を表している。材質形状判定手段８は、第１〜第４のスイッチング手段４ａ、４ｂ、５ａ、５ｂの導通時間または駆動時間比を一定に保ち、駆動周波数を大なる周波数から小なる周波数まで逐次変化させ、その際に得られる駆動周波数対入力電流、駆動周波数対制御要素の結果を負荷の動作軌跡として関連付けを行い、最終到達点に対して負荷の有無や材質及び形状を判定するものである。図２の下段では、大なる周波数を４６ｋＨｚとし、小なる周波数を３１ｋＨｚとして、その駆動周波数間にて６点の駆動周波数対入力電流及び駆動周波数対制御要素のデータを採取しグラフにプロットしたものであり、負荷の最終到達点から材質が鉄で形状が小径と判断された負荷と判定することができる。
【００２３】
なお、本発明の実施の形態１では、駆動周波数の大なる周波数を４６ｋＨｚとし、小なる周波数を３１ｋＨｚとして、その駆動周波数間にて６点の駆動周波数対入力電流及び駆動周波数対制御要素のデータを採取しているが、大なる周波数及び小なる周波数、または
データ採取のプロット数はこれに限定されるものではない。
【００２４】
図３において、上段は第１及び第２のインバータ４、５のどちらか１つを小径の負荷にて単独で駆動させた場合の時間と加熱出力の関係を示す。材質形状判定手段８にて、小径の負荷と判断された場合は、大径の負荷同等の加熱出力を必要としないので、入力電流または制御要素にて制限値を設け加熱出力に対して電力制限を行うよう制御されている。
【００２５】
図３において、中段は第１のインバータ４が小径の負荷、第２のインバータ５が加熱できる径の負荷にて交互で駆動させた場合の時間と加熱出力の関係を示す。図３の中段は図７の下段と同様に、単独駆動と同一の平均入力電力を得るように交互の駆動を行うためには、交互駆動時において瞬時入力電力を単独駆動時よりも大きな値を持たせて制御させる必要があるので、単独駆動時と比較して略２倍の瞬時入力電力にて交互で駆動制御を行うものである。
【００２６】
図３において、下段は本実施の形態１に記載の交互駆動時で、かつ、材質形状判定手段８にて、小径の負荷と判断された場合は、図３の中段よりも小さい瞬時入力出力で、かつ、上段の瞬時入力電力と略同一にて駆動制御を行うものである。
【００２７】
なお、本実施の形態１では、単独駆動時と交互駆動時にて同一の平均入力電力を得るために瞬時入力電力を略２倍としているが、スイッチング手段のオンあるいはオフの時間を変更させて単独駆動時と交互駆動時にて同一の平均入力電力を得るように調整することも可能であり、これに限定されるものではない。
【００２８】
図４において、上段は第１及び第２のインバータ４、５のいずれか一方を単独にて駆動させた場合の電力制御図を示す。図４の上段では、第１及び第２のインバータ４、５に発生する入力電流値と制御要素値に制限を持たせた階段状の電力制限ラインを設けている。図中には負荷の動作軌跡を示しており、単独駆動時には第１の入力電流制限値及び第１の制御要素制限値に到達し、材質形状判定手段８により加熱できる小径の負荷と判断された場合には、第１の入力電流制限値及び第１の制御要素制限値を超えないように電力制御が行われる。
【００２９】
図４において、中段は第１及び第２のインバータ４，５を交互に駆動させた場合の電力制御図を示す。図３の中段と同様に、交互駆動時においては単独駆動時よりも大きい入力電流値と制御要素値に制限値を持たせた階段上の電力制限ラインを設けている。図中には負荷の動作軌跡を示しており、交互駆動時には第２の入力電流制限値及び第２の制御要素制限値に到達し、材質形状判定手段８により加熱できる小径の負荷と判断された場合には、第１の入力電流制限値及び第１の制御要素制限値よりも大きい第２の入力電流制限値及び第２の制御要素制限値を超えないように電力制限が行われる。
【００３０】
図４において、下段は本発明の実施の形態１における第２の入力電流制限値よりも小さい第３の入力電流制限値を設けた第１及び第２のインバータ４、５を交互に駆動させた場合の電力制御図を示す。単独駆動時の平均入力電力と略同一となるように交互駆動時の第２の入力電流制限値よりも小さい第３の入力電流制限値を設けることにより、加熱できる小径の負荷の平均入力電力を制限している。
【００３１】
なお、本実施の形態１では、制御要素検知手段として第１及び第２の共振コンデンサ４ｄ、５ｄの共振電圧を制御パラメータとして記載しているが、第１及び第２の加熱コイル４ｃ、５ｃに流れるコイル電流を制御パラメータとして用いることも可能であり、これに限定されるものではない。
【００３２】
以上のように、本実施の形態においては、第１及び第２の発振回路９、１０が交互に駆動する時に、材質形状判定手段８において加熱できる小径の負荷と材質形状判定手段８が判定した場合に、第１及び第２の発振回路９、１０のいずれか一方が動作している平均入力電力と第１及び第２の発振回路９、１０が交互に駆動している平均入力電力と略同一となるように第２の入力電流制限値よりも小さい第３の入力電流制限値を設けることにより加熱できる小径の負荷の平均入力電力を制限する構成とすることで、単独駆動時と交互駆動時において、加熱できる小径の負荷の沸騰感を略同一を見なすことができるので、使用者にとって単独駆動時と交互駆動時で違和感のない調理が実現できる。
【００３３】
（実施の形態２）
構成に関しては、図１と同様のため省略する。
【００３４】
以上のように構成された誘導加熱装置について、以下、図５を用いて、その動作、作用を説明する。
【００３５】
図５は、本発明の実施の形態２における誘導加熱装置の動作の流れ図を示す。
【００３６】
図５において、第２のインバータ５が単独にて駆動を行っており、第１のインバータ４は停止している。第２のインバータ５が単独駆動を行っている際に、操作手段１３により使用者が第１のインバータ４の加熱を動作させると、第２のインバータ５の加熱を一時停止し、第１のインバータ４の加熱動作を開始する。第１のインバータ４の加熱が開始されると、第１の加熱コイル４ｃ上に載置された鍋などの負荷が加熱適合負荷か、あるいは、材質及び形状がどのような負荷であるのかを電気的な特性などを用いて材質形状判別を行う。続いて、不適合鍋の場合は加熱を停止させ、適合鍋の場合はその負荷に対し加熱電力を順次増加させ、入力電流検知手段６により入力電流が設定値に達するか否かの電力確認を行う。その後、第１のインバータ４の加熱を停止させ、続いて、第２のインバータ５の加熱動作を開始する。第２のインバータ５の加熱が開始されると、第２の加熱コイル５ｃ上に載置された鍋などの負荷が加熱適合負荷か、あるいは、材質及び形状がどのような負荷であるのかを電気的な特性などを用いて材質形状判別を行う。続いて、不適合鍋の場合は加熱を停止させ、適合鍋の場合はその負荷に対し加熱電力を順次増加させ、入力電流検知手段６により入力電流が設定値に達するか否かの電力確認を行う。第１及び第２のインバータ４、５にて各々負荷の判定を行った後、図３に示すように第１及び第２のインバータ４、５は交互にて駆動を行う。
【００３７】
なお、本実施の形態２では、第１及び第２のインバータ４、５が交互にて駆動を行う際に、第１のインバータ４から材質形状判定及び電力確認を行い、続いて第２のインバータ５にて材質形状判定及び電力確認を行っているが、その順序はこれに限定されるものではない。
【００３８】
以上のように、本実施の形態においては、第１及び第２のインバータ４、５のどちらか１つが動作している状態から第１及び第２のインバータ４、５が交互で動作する状態に切り替わる際に、第１及び第２のインバータ４、５に対して加熱開始時と同一の動作を行う構成とすることで、材質形状判定を各インバータ駆動時に行い、交互駆動時においても各インバータに適した平均入力電力で加熱動作を行うことができる。
【産業上の利用可能性】
【００３９】
以上のように、本発明にかかる誘導加熱装置は、交互駆動の小径の負荷の場合に、瞬時入力電力を制限することができるので、単独駆動時と交互駆動時に生じる沸騰感の差を埋めることが可能であり、組み込み式や置台の上で使用する据え置き型等で、家庭用または業務用の誘導加熱装置に有効である。
【符号の説明】
【００４０】
１  交流電源
２  整流回路
３  平滑回路
４  第１のインバータ
５  第２のインバータ
６  入力電流検知手段
７  制御要素検知手段
８  材質形状判定手段
９  第１の発振回路
１０  第２の発振回路
１１  駆動手段
１２  制御回路（制御手段）
１３  操作手段
【図１】
0005895123.tif 000002
【図３】
0005895123.tif 000003
【図４】
0005895123.tif 000004
【図５】
0005895123.tif 000005
【図７】
0005895123.tif 000006
【図２】
0005895123.tif 000007
【図６】
0005895123.tif 000008